(57)【要約】【課題】素電池とリード板との接触が確実に防止されて絶縁され、取付時及び使用時に位置ずれが生じず、短絡が確実に防止されるとともに、保護回路基板も確実に固定、保持され、位置ずれ及び破損が防止され、外観が良好である電池パックを提供する。【解決手段】角型平板状の素電池２の側面は、第１ケース４及び第２ケース５により覆われている。第１ケース４の内側には、基板収納部が設けられている。基板収納部は、基板被覆部４ａ、リード被覆部４ｂ，４ｃそれぞれに対向し、素電池２の各側面に当接される当接部４ｄ，４ｅ，４ｆと、底板部とを備える。保護回路部３は、第１ケース４からリード板３ｅ，３ｆの先端部を露出した状態で、基板収納部に収納され、前記端部が素電池２に接続されて、素電池２に固定される。【選択図】図２
2007250204.tif 000002
【特許請求の範囲】
【請求項１】
対向する二最大平面及び四側面を有する直方体状の素電池と、
外部出力端子及び保護回路を有し、前記素電池の一側面に配される保護回路基板と、
該保護回路基板の両端側に設けられ、前記一側面に隣接する両側面に沿わせて前記素電池の端子に接続されるリード板と、
合成樹脂製であり、前記素電池の四側面を覆う枠状をなすケースと
を備え、
該ケースは、前記一側面側を覆う第１ケースと、該一側面に対向する側面側を覆う第２ケースとに分割されている電池パックにおいて、
前記第１ケースは、内側に、
その両端部から各リード板の先端部を露出させた状態で、前記保護回路基板及びリード板を収納する基板収納部を備えることを特徴とする電池パック。
【請求項２】
前記基板収納部は、前記保護回路基板を両側で支持するリブを備える請求項１に記載の電池パック。
【請求項３】
直方体状の素電池と、
外部出力端子及び保護回路を有する保護回路基板と、
該保護回路基板の両端側に設けられたリード板と、
前記素電池を収容するように、合成樹脂製の平板部に四側板部を周設してなり、
前記保護回路基板を一側板部の外面に当接させ、前記リード板を前記一側板部に隣接する両側板部の一部の外面に沿わせた状態で、各リード板の先端部を、両側板部に設けられた端子連結窓から前記素電池の端子に接続するように構成されているケースと、
該ケースに配された前記保護回路基板及びリード板を覆った状態で、前記ケースに嵌められる基板カバー部と
を備えることを特徴とする電池パック。
【請求項４】
前記両側板部の残部は、前記一部より外側に突出しており、前記基板カバー部は、前記残部の端部と同一平面上で合わせられる請求項３に記載の電池パック。
【発明の詳細な説明】
【技術分野】
【０００１】
本発明は、ビデオカメラ，モバイルコンピュータ，携帯電話機等の主として携帯電子機器の電源として利用される充放電可能な非水電解質二次電池、具体的にはリチウムイオン二次電池等を絶縁体の外装枠で包囲した電池パックに関する。
【背景技術】
【０００２】
近年、急速に普及しているビデオカメラ，モバイルコンピュータ，携帯電話機等の携帯電子機器の電源としては、充放電可能な直方体状の非水電解質二次電池、例えばリチウムイオン二次電池等が主として用いられている。
【０００３】
リチウムイオン二次電池においては、過充電及び過放電を防止するために一側面に電池電圧を制御するための保護回路基板が設けられており、これらを絶縁性の例えば合成樹脂製のケースに収容した状態の電池パックとして電子機器に装着する。保護回路基板と電池との間は接続用のリード板により電気的に接続される。
【０００４】
図１１は、従来の電池パック３１を示す斜視図、図１２は、電池パック３１を示す分解斜視図である。
電池パック３１の素電池３２は、その内部に正極及び負極をセパレータを介して巻回した発電要素を含む非水電解質二次電池、具体的には例えばリチウムイオン二次電池等の二次電池であり、この発電要素をアルミニウム又はアルミニウム合金製のケースに収納してなる。素電池３２の一側面には、絶縁板を介して負極端子３２ａが設けられており、他側面にはリード取付板３２ｂが設けられている。負極端子３２ａが設けられた部分以外の素電池３２の全体が正極（端子）とされる。
【０００５】
素電池３２の負極端子３２ａが設けられている一側面に隣接する側面には、絶縁テープ３３及びスペーサ３４を介して保護回路部３５が取り付けられている。保護回路部３５の保護回路基板３５ａは、素電池３２の過充電又は過放電等を防止するための保護回路を備える。保護回路基板３５ａの素電池３２と対向する面に回路素子３５ｃが実装されており、反対側、即ち外側の面には、外部へ電力を取り出し、また逆に充電のために外部から電力を取り込むための正負極の外部出力端子３５ｂ，３５ｂ，３５ｂが金メッキにより設けられている。保護回路基板３５ａの一端側には、ＰＴＣ（Positive Temperature Coefficient)素子３５ｄが設けられている。ＰＴＣ素子３５ｄは、素電池３２の温度が異常上昇したような場合に温度に感応して高抵抗となることにより、回路を遮断する保護素子である。そして、保護回路基板３５ａのＰＴＣ素子３５ｄが設けられている側には、素電池３２の前記一側面に沿わせるリード板３５ｅが、他側には素電池３２の他側面に沿わせるリード板３５ｆが設けられている。
スペーサ３４は、保護回路基板３５ａと一致する形状を有する。絶縁テープ３３には、負極端子３２ａを露出するための窓部３３ａが設けられている。
【０００６】
合成樹脂製の第１ケース３６は、保護回路基板３５ａを覆う基板被覆部３６ａと、リード板３５ｅ，３５ｆを覆うリード被覆部３６ｂ，３６ｂとを備える。基板被覆部３６ａには、保護回路基板３５ａの外部出力端子３５ｂ，３５ｂ，３５ｂを露出させるための窓部３６ｄ，３６ｄ，３６ｄが形成されている。リード被覆部３６ｂ，３６ｂの端部には、係止凹部３６ｃ，３６ｃが設けられている。
【０００７】
第２ケース３７は、素電池３２の残りの側面を覆う側面被覆部３７ａ，３７ｂ，３７ｂを備える。側面被覆部３７ｂ，３７ｂの端部には、係止凸部３７ｃ，３７ｃが設けられている。
【０００８】
図１３及び図１４は、電池パック３１の組立工程を示す斜視図である。まず、素電池３２の側面に沿って、窓部３３ａから負極端子３２ａを露出させた状態で、絶縁テープ３３を貼付した後、保護回路部３５を配する側に、スペーサ３４を重ねる。そして、スペーサ３４に保護回路基板３５ａを嵌めて、リード板３５ｅの端部を負極端子３２ａに、リード板３５ｆの端部をリード取付板３２ｂにスポット溶接して、組電池３９を得る。さらに、第１ケース３６を保護回路部３５側に嵌め、第２ケース３７を他側に嵌めて、各係止凹部３６ｃと係止凸部３７ｃとを係止させ、第１ケース３６と第２ケース３７とを一体化させる。最後にラベル３８を組電池３９の平面部に貼付・位置決めし、第１ケース３６及び第２ケース３７を巻き込んで貼付することにより電池パック３１が得られる。
【０００９】
特許文献１は、図１２と同様の電池パックであり、ラベルが、切り込みを有し、素電池の表面に付着される基材層と、基材層の表面に積層される表面層とからなる電池パックの発明が開示されている。この電池パックでは、素電池にラベルを付着するときに破れるのが防止されている。
特許文献２には、箱状のパックケースに、複数の電池と、入出力端子を該パックケースから露出させた回路基板とを内蔵し、回路基板には直列接続された電池の所要位置からリード線による配線接続がなされている電池パックにおいて、パックケースの側壁と電池との間に隔壁を設け、この隔壁と側壁との間に形成される間隙内にリード線を収容するように構成された電池パックの発明について開示されている。
【特許文献１】特開２００５−１３５７７０号公報
【特許文献２】特開２００２−１００３３４号公報
【発明の開示】
【発明が解決しようとする課題】
【００１０】
図１２及び特許文献１に示された従来の電池パックにおいては、素電池とリード板と間の絶縁、及び保護回路基板の固定、保持のために、絶縁テープ及びスペーサが必要であり、部品点数が多くなるとともに、配置、貼付等の煩雑な工程を要するという問題がある。また、貼付時、運搬時及び使用時等に位置ずれが生じたときに、素電池とリード板との間で短絡が生じることがあるという問題がある。
【００１１】
特許文献２の電池パックの場合、絶縁処理を行うための部材及び工数を削減して、確実に絶縁することが出来るが、保護回路基板は保持、固定が確実でなく、電池パックに振動及び衝撃は加わったときに、位置ずれや破損が生じるおそれがあるという問題がある。また、素電池の側面に保護回路基板を配した組電池に、この保護回路基板を覆うカバーケースを嵌め合わせる電池パックについてはこの構成を適用することが出来ない。
【００１２】
本発明は、斯かる事情に鑑みてなされたものであり、枠状をなすケースであって、保護回路基板及び素電池の一側面側を覆う第１ケースと、他側面側を覆う第２ケースとに分割されているものの第１ケースの内側に、その両端部から各リード板の先端部を露出させた状態で、前記保護回路基板及びリード板を収納する基板収納部を備えることにより、素電池とリード板との接触が確実に防止されて絶縁され、取付時及び使用時に位置ずれが生じず、短絡が確実に防止され、絶縁テープ及びスペーサを削除することが出来るとともに、保護回路基板も確実に固定、保持されるので、位置ずれ及び破損が防止され、外観が良好である電池パックを提供することを目的とする。
【００１３】
また、本発明は、保護回路基板及びリード板を、素電池を収容する箱状のケースの一側板部及び該側板部に隣接する両側板部の一部の外面に沿わせた上で、基板カバー部により、該保護回路基板及びリード板を覆った状態で、該基板カバー部をケースに嵌め合わせるように構成することにより、素電池とリード板との接触が確実に防止されて絶縁され、リード板の外側から基板カバー部が嵌められるので、取付時及び使用時に位置ずれが生じず、短絡が確実に防止されるとともに、保護回路基板も確実に固定、保持されるので、位置ずれ及び破損が防止されて、外観が良好である電池パックを提供することを目的とする。
【課題を解決するための手段】
【００１４】
第１発明に係る電池パックは、対向する二最大平面及び四側面を有する直方体状の素電池と、外部出力端子及び保護回路を有し、前記素電池の一側面に配される保護回路基板と、該保護回路基板の両端側に設けられ、前記一側面に隣接する両側面に沿わせて前記素電池の端子に接続されるリード板と、合成樹脂製であり、前記素電池の四側面を覆う枠状をなすケースとを備え、該ケースは、前記一側面側を覆う第１ケースと、該一側面に対向する側面側を覆う第２ケースとに分割されている電池パックにおいて、前記第１ケースは、内側に、その両端部から各リード板の先端部を露出させた状態で、前記保護回路基板及びリード板を収納する基板収納部を備えることを特徴とする。
【００１５】
本発明においては、リード板が基板収納部に収納され、取付時及び使用時に位置ずれが生じないので、素電池とリード板との接触が確実に防止されて絶縁され、短絡が確実に防止されるとともに、良好な外観を有する。従って、絶縁テープ及びスペーサを削除することが出来るので、部品点数を削減し、これらを取り付ける工程を削除することが出来、コストダウンが可能となる。
また、基板収納部により保護回路基板も確実に固定、保持されるので、位置ずれ及び破損が防止され、外観が良好である。
【００１６】
第２発明に係る電池パックは、第１発明において、前記基板収納部は、前記保護回路基板を両側で支持するリブを備えることを特徴とする。
【００１７】
本発明においては、保護回路基板をさらに確実に保持、固定することが出来る。
【００１８】
第３発明に係る電池パックは、直方体状の素電池と、外部出力端子及び保護回路を有する保護回路基板と、該保護回路基板の両端側に設けられたリード板と、前記素電池を収容するように、合成樹脂製の平板部に四側板部を周設してなり、前記保護回路基板を一側板部の外面に当接させ、前記リード板を前記一側板部に隣接する両側板部の一部の外面に沿わせた状態で、各リード板の先端部を、両側板部に設けられた端子連結窓から前記素電池の端子に接続するように構成されているケースと、該ケースに配された前記保護回路基板及びリード板を覆った状態で、前記ケースに嵌められる基板カバー部とを備えることを特徴とする。
【００１９】
本発明においては、ケースの側板部により素電池とリード板との接触が確実に防止されて絶縁され、リード板の外側から基板カバー部が嵌められるので、取付時及び使用時に位置ずれが生じず、短絡が確実に防止されるとともに、良好な外観を有する。従って、絶縁テープ及びスペーサを削除することが出来るので、部品点数を削減し、これらを取り付ける工程を削除することが出来、コストダウンが可能となる。
また、保護回路基板もケースの側板部とカバー部とに挟まれた状態で支持され、確実に固定、保持されるので、位置ずれ及び破損が防止されるとともに、外観が良好である。
【００２０】
第４発明に係る電池パックは、第３発明において、前記両側板部の残部は、前記一部より外側に突出しており、前記基板カバー部は、前記残部の端部と同一平面上で合わせられることを特徴とする。
【００２１】
本発明においては、基板カバー部の端部と両側板部の残部とが同一平面上で合わせられるので、基板カバー部の素電池への固定が安定するとともに、外観が良好である。
【発明の効果】
【００２２】
第１発明及び第２発明によれば、リード板が基板収納部に収納され、取付時及び使用時に位置ずれが生じないので、素電池とリード板との接触が確実に防止されて絶縁され、短絡が確実に防止される。従って、絶縁テープ及びスペーサを削除することが出来るので、部品点数を削減し、これらを取り付ける工程を削除することが出来る。
また、基板収納部により保護回路基板も確実に固定、保持されるので、位置ずれ及び破損が防止され、外観が良好である。
【００２３】
第３発明及び第４発明によれば、ケースの側板部により素電池とリード板との接触が確実に防止されて絶縁され、リード板の外側から基板カバー部が嵌められるので、取付時及び使用時に位置ずれが生じず、短絡が確実に防止されるとともに、良好な外観を有する。従って、絶縁テープ及びスペーサを削除することが出来るので、部品点数を削減し、これらを取り付ける工程を削除することが出来る。
また、保護回路基板もケースの側板部と基板カバー部とに挟まれた状態で支持され、確実に固定、保持されるので、位置ずれ及び破損が防止されるとともに、外観が良好である。
【発明を実施するための最良の形態】
【００２４】
以下本発明をその実施の形態を示す図面に基づき具体的に説明する。
実施の形態１．
図１は、本発明の実施の形態１に係る電池パック１を示す斜視図、図２は、電池パック１を示す分解斜視図である。
電池パック１の素電池２は、その内部に正極及び負極をセパレータを介して巻回した発電要素を含む非水電解質二次電池、例えばリチウムイオン二次電池等の二次電池であり、この発電要素をアルミニウム又はアルミニウム合金製であり、直方体状のケースに収納してなる。素電池２の一側面には、絶縁板を介して負極端子２ａが設けられており、他側面にはリード取付板２ｂが設けられている。負極端子２ａが設けられた部分以外の素電池２の全体が正極（端子）とされる。
【００２５】
素電池２は、前記一側面の略半分、該一側面に隣接する側面、及び前記他側面の略半分を覆う第１ケース４と、前記一側面の残部、これに隣接する側面、及び前記他側面の残部を覆う第２ケース５とによって、各側面が保護されている。
【００２６】
素電池２に組み付けられる保護回路部３は保護回路基板３ａを備え、保護回路基板３ａは、素電池２の過充電又は過放電等を防止するための保護回路を有する。保護回路基板３ａの素電池２に対向させる面には回路素子３ｃが実装されており、反対側の面には、外部へ電力を取り出し、また逆に充電のために外部から電力を取り込むための正負極の外部出力端子３ｂ，３ｂ，３ｂが金メッキにより設けられている。保護回路基板３ａの一端側には、ＰＴＣ素子３ｄが設けられている。ＰＴＣ素子３ｄは、素電池２の温度が異常上昇したような場合に温度に感応して高抵抗となることにより、回路を遮断する。そして、保護回路基板３ａのＰＴＣ素子３ｄが設けられている側には、素電池２の前記一側面側に配するリード板３ｅが、他側には前記他側面側に配するリード板３ｆが設けられている。
【００２７】
図３は、第１ケース４を示す平面図である。
合成樹脂製の第１ケース４は、保護回路基板３ａを覆う基板被覆部４ａと、リード板３ｅ，３ｆを覆うリード被覆部４ｂ，４ｃとを備える。基板被覆部４ａには、保護回路基板３ａの外部出力端子３ｂ，３ｂ，３ｂを露出させるための窓部４ｉ，４ｉ，４ｉが形成されている。
【００２８】
第１ケース４の内側には、基板収納部４ｊが設けられている。基板収納部４ｊは、基板被覆部４ａに対向し、素電池２の前記一側面に隣接する面に当接される当接部４ｄと、リード被覆部４ｂに対向し、素電池２の前記一側面に当接される当接部４ｅと、リード被覆部４ｃに対向し、素電池２の前記他側面に当接される当接部４ｆと、基板被覆部４ａ，リード被覆部４ｂ及びリード被覆部４ｃと当接部４ｄ，４ｅ，４ｆとを連結する底板部４ｇとを備える。当接部４ｄには、保護回路基板３ａを両側で支持するためのリブ４ｈ，４ｈが設けられている。
基板被覆部４ａと当接部４ｄとの間隙は略１．７ｍｍであり、リード被覆部４ｂと当接部４ｅとの間隙は略０．８ｍｍであり、リード被覆部４ｃと当接部４ｆとの間隙は略０．２ｍｍである。
【００２９】
保護回路基板３ａの回路素子３ｃが実装されている部分の厚みは、基板自体の厚みが略０．６ｍｍ、回路素子３ｃの厚みが略１．０ｍｍであり、合計略１．６ｍｍであるので、基板被覆部４ａと当接部４ｄとの間隙が略１．６ｍｍ以上２．０ｍｍ以下であれば、保護回路基板３ａは挿入されやすく、リブ４ｈ，４ｈが設けられていることもあり、抜けにくく、確実に保持、固定され、位置ずれが生じない。保護回路基板３ａの回路素子３ｃが実装されていない部分に対応する間隙は、１．６ｍｍ以下にしてもよく、略０．６ｍｍ以上であればよい。
リード板３ｅ，３ｆの厚みは略０．１ｍｍであり、ＰＴＣ素子３ｄの厚みが略０．７ｍｍであるので、リード被覆部４ｂと当接部４ｅとの間隙が略０．８ｍｍであれば、ＰＴＣ素子３ｄ及びリード板３ｅを挿入することが出来、リード板３ｅ及びＰＴＣ素子３ｄが確実に保持、固定され、位置ずれが生じない。ＰＴＣ素子３ｄが設けられていない部分に対応するリード被覆部４ｂと当接部４ｅとの間隙、及びリード被覆部４ｃと当接部４ｆとの間隙は略０．１ｍｍ以上であれば、リード板３ｅ，３ｆは挿入され、確実に保持、固定され、位置ずれが生じない。
【００３０】
基板収納部４ｊに、上述の保護回路部３が収納される。
リード被覆部４ｂ、及びリード被覆部４ｃの長さは、それぞれリード板３ｅ、リード板３ｆの長さより短く構成されており、リード板３ｅ、リード板３ｆの先端部をリード被覆部４ｂ、及びリード被覆部４ｃから露出した状態で、保護回路部３は基板収納部４ｊに収納される。
【００３１】
保護回路部３を収納した状態で、第１ケース４は素電池２に嵌められ、リード板３ｅの端部は負極端子２ａに、リード板３ｆの端部はリード取付板２ｂにスポット溶接されている。
【００３２】
合成樹脂製の第２ケース５は、素電池２の前記一側面に隣接する側面を覆う側面被覆部５ａと、前記一側面及び他側面の残部を覆う側面被覆部５ｂ，５ｂとを備える。第２ケース５が素電池２の他側に嵌められて、第１ケース４と第２ケース５とが枠状に一体化される。
【００３３】
図４及び図５は、電池パック１の組立工程を示す斜視図である。
まず、第１ケース４の基板収納部４ｊに、保護回路部３を収納する。そして、第１ケース４を素電池２の前記一側面、これに隣接する側面及び前記他側面に嵌合し、リード被覆部４ｂ、４ｃから露出したリード板３ｅ、３ｆの端部をそれぞれ負極端子２ａ、リード取付板２ｂにスポット溶接して、第１ケース４を素電池２に固定する。次に、第２ケース５を素電池２の残りの側面に、両面テープを介して貼付し、第２ケース５を素電池２に固定する。最後にラベル６を素電池２の平面部に貼付・位置決めし、第１ケース４及び第２ケース５を巻き込んで貼付することにより電池パック１が得られる。
【００３４】
本実施形態においては、リード板３ｅ，３ｆが基板収納部４ｊに収納され、保護回路部３の取付時、電池パック１の運搬時及び使用時に位置ずれが生じないので、素電池２とリード板３ｅ，３ｆとの接触が確実に防止されて絶縁され、短絡が確実に防止されるとともに、良好な外観を有する。従って、従来、必要とされていた絶縁テープ及びスペーサを削除することが出来るので、部品点数を削減し、これらを取り付ける工程を削除することが出来、コストダウンが可能となる。
そして、第１ケース４は合成樹脂製であり、従来の絶縁材であった絶縁テープより堅固であり、リード板３ｅ，３ｆに、ばりが生じていた場合でも、このばりにより突き抜けて素電池２と短絡することがない。
また、基板収納部４ｊにより保護回路基板３ａも確実に固定、保持されるので、位置ずれ及び破損が防止され、外観が良好である。
【００３５】
実施の形態２．
図６は、本発明の実施の形態２に係る電池パック１１を示す斜視図、図７は、電池パック１１を示す分解斜視図である。
電池パック１１の素電池１２は、その内部に正極及び負極をセパレータを介して巻回した発電要素を含む非水電解質二次電池、例えばリチウムイオン二次電池等の二次電池であり、この発電要素をアルミニウム又はアルミニウム合金製であり、直方体状のケースに収納してなる。素電池１２の一側面には、絶縁板を介して負極端子１２ａが設けられており、他側面にはリード取付板１２ｂが設けられている。負極端子１２ａが設けられた部分以外の素電池２の全体が正極（端子）とされる。
【００３６】
素電池１２は、箱状のケース１３に収納されている。
合成樹脂製のケース１３は、矩形状の平板部１３ａに、側板部１３ｂと、これに隣接する側板部１３ｃ，１３ｃと、及び側板部１３ｂに対向する側板部１３ｆとを周設してなる。側板部１３ｃ，１３ｃの側板部１３ｆ側の高さは、他側の高さより高く、外側には外板部１３ｅ，１３ｅが設けられている。そして、側板部１３ｃ，１３ｃの略中央部には、側面視が台形状をなす、切り欠き部（端子連結窓）１３ｄ，１３ｄが設けられている。側板部１３ｆの高さは、側板部１３ｃの側板部１３ｆ側の高さと等しく、側板部１３ｆの略中央部には、外板部１３ｇが設けられている。
【００３７】
素電池１２に組み付けられる保護回路部１４は保護回路基板１４ａを備え、保護回路基板１４ａは、素電池１２の過充電又は過放電等を防止するための保護回路を有する。保護回路基板１４ａの素電池１２に対向させる面には回路素子１４ｃが実装されており、反対側の面には、外部へ電力を取り出し、また逆に充電のために外部から電力を取り込むための正負極の外部出力端子１４ｂ，１４ｂ，１４ｂが金メッキにより設けられている。保護回路基板１４ａの一端側には、ＰＴＣ素子１４ｄが設けられている。そして、保護回路基板１４ａのＰＴＣ素子１４ｄが設けられている側には、素電池１２の前記一側面側に配するリード板１４ｅが、他側には素電池１２の前記他側面側に配するリード板１４ｆが設けられている。
【００３８】
図８は、基板カバー部１５を示す拡大斜視図である。
合成樹脂製の基板カバー部１５は、保護回路基板１４ａを覆う基板被覆部１５ａと、リード板１４ｅ，１４ｆを覆うリード被覆部１５ｂ，１５ｃとを備える。基板被覆部１５ａには、保護回路基板１４ａの外部出力端子１４ｂ，１４ｂ，１４ｂを露出させるための窓部１５ｄ，１５ｄ，１５ｄが形成されている。また、基板被覆部１５ａには、保護回路基板１４ａの面方向の動きを抑止するためのリブ１５ｅ，１５ｅが突設されている。そして、基板被覆部１５ａの上端部には、縁部１５ｆが横設されている。
【００３９】
電池パック１１は、ケース１３に素電池１２を収納し、ケース１３の側板部１３ｂと、側板部１３ｃ，１３ｃの側板部１３ｂ側の部分とに保護回路部１４を沿わせた上で、基板カバー部１５を保護回路部１４に嵌め、素電池１２、ケース１３及び基板カバー部１５にラベル１６を巻き付けることで構成される。
【００４０】
図９及び図１０は、電池パック１１の組立工程を示す斜視図である。
まず、ケース１３に素電池１２を収納する。そして、ケース１３の側板部１３ｂに保護回路部１４の保護回路基板１４ａ側を沿わせ、側板部１３ｃ，１３ｃの側板部１３ｂ側の部分に、リード板１４ｅ，１４ｆを沿わせ、リード板１４ｅ，１４ｆの先端部を凹部１３ｄ，１３ｄにおいて、それぞれ負極端子１２ａ，リード取付板１２ｂにスポット溶接して、保護回路部１４を素電池１２に固定する。
次に、基板カバー部１５を保護回路部１４に嵌め合わせ、リード被覆部１５ｂ，１５ｃの端部をそれぞれ外板部１３ｅ，１３ｅの端部に合わせる。最後にラベル１６を素電池１２の平面部に貼付・位置決めし、ケース１３及び基板カバー部１５を巻き込んで貼付することにより電池パック１１が得られる。
【００４１】
本実施形態においては、ケース１３の側板部１３ｂ，１３ｃ，１３ｃにより素電池１２とリード板１４ｅ，１４ｆとの接触が確実に防止されて絶縁され、リード板１４ｅ，１４ｆの外側から基板カバー部１５が嵌められるので、リード板１４ｅ，１４ｆの取付時、電池パック１１の運搬時及び使用時に位置ずれが生じず、短絡が確実に防止されるとともに、良好な外観を有する。従って、絶縁テープ及びスペーサを削除することが出来るので、部品点数を削減し、これらを取り付ける工程を削除することが出来、コストダウンが可能となる。
そして、ケース１３は合成樹脂製であり、従来の絶縁材であった絶縁テープより堅固であり、リード板１４ｅ，１４ｆに、ばりが生じていた場合でも、このばりにより突き抜けて素電池１２と短絡することがない。
また、保護回路基板１４ａもケース１３の側板部１３ｂと基板カバー部１５の基板被覆部１５ａとに挟まれた状態で支持され、リブ１５ｅ，１５ｅにより保護回路基板１４ａの長手方向の動きが抑止され、確実に素電池１２に固定、保持されるので、位置ずれ及び破損が防止されるとともに、外観が良好である。
【００４２】
本発明の電池パックは、前記実施の形態１及び２において説明した場合に限定されるものではなく、種々の設計変更が可能である。
【００４３】
前記実施の形態２において、端子連結窓として切り欠き部１３ｄを設けた場合につき説明しているがこれに限定されるものではなく、穴及び凹部等を設けてもよく、リード板１４ｅ，１４ｆと素電池１２の端子とを接続することが可能であればよい。
また、実施の形態２において、リード被覆部１５ｂ，１５ｃの端部を側板部１３ｃの外板部１３ｅの端部に突き合わせる場合につき説明しているがこれに限定されるものではなく、リード被覆部１５ｂ，１５ｃの端部を側板部１３ｃの終端部に合わせ、又は側板部１３ｆ側まで巻き込んで、基板カバー部１５をケース１３に嵌め合わせることにしてもよい。但し、リード被覆部１５ｂ，１５ｃの端部を側板部１３ｃの外板部１３ｅの端部に突き合わせ、同一平面上で合わせる方が、基板カバー部１５の素電池１２への固定が安定するとともに、外観が良好である。
【図面の簡単な説明】
【００４４】
【図１】本発明の実施の形態１に係る電池パックを示す斜視図である。
【図２】図１の電池パックを示す分解斜視図である。
【図３】第１ケースを示す平面図である。
【図４】図１の電池パックの組立工程を示す斜視図である。
【図５】図１の電池パックの組立工程を示す斜視図である。
【図６】本発明の実施の形態２に係る電池パックを示す斜視図である。
【図７】図６の電池パックを示す分解斜視図である。
【図８】基板カバー部を示す拡大斜視図である。
【図９】図６の電池パックの組立工程を示す斜視図である。
【図１０】図６の電池パックの組立工程を示す斜視図である。
【図１１】従来の電池パックを示す斜視図である。
【図１２】従来の電池パックを示す分解斜視図である。
【図１３】電池パックの組立工程を示す斜視図である。
【図１４】電池パックの組立工程を示す斜視図である。
【符号の説明】
【００４５】
１、１１  電池パック
２、１２  素電池
３、１４  保護回路部
３ａ、１４ａ  保護回路基板
３ｂ、１４ｂ  外部出力端子
３ｃ、１４ｃ  回路素子
３ｄ、１４ｄ  ＰＴＣ
３ｅ、３ｆ、１４ｅ、１４ｆ  リード板
４  第１ケース
４ａ  基板被覆部
４ｂ、４ｃ  リード被覆部
４ｄ、４ｅ、４ｆ  当接部
４ｇ  底板部
４ｈ  リブ
４ｉ  窓部
４ｊ  基板収納部
５  第２ケース
５ａ、５ｂ  側面被覆部
６、１６  ラベル
１３  ケース
１３ａ  平板部
１３ｂ、１３ｃ、１３ｆ  側板部
１３ｅ、１３ｇ  外板部
１５  基板カバー部
１５ａ  基板被覆部
１５ｂ、１５ｃ  リード被覆部
１５ｄ  窓部
１５ｅ  リブ
【図１】
2007250204.tif 000003
【図２】
2007250204.tif 000004
【図３】
2007250204.tif 000005
【図４】
2007250204.tif 000006
【図５】
2007250204.tif 000007
【図６】
2007250204.tif 000008
【図７】
2007250204.tif 000009
【図８】
2007250204.tif 000010
【図９】
2007250204.tif 000011
【図１０】
2007250204.tif 000012
【図１１】
2007250204.tif 000013
【図１２】
2007250204.tif 000014
【図１３】
2007250204.tif 000015
【図１４】
2007250204.tif 000016